(57)【要約】【課題】サイドウォール部のゲージ厚を薄くした場合でも、サイドウォール部の外観性が向上する空気入りタイヤを提供する。【解決手段】空気入りタイヤ１は、路面に接するトレッド部２と、トレッド部２に連なり、トレッド部２のタイヤ径方向内側に位置するサイドウォール部３と、を含む。サイドウォール部３の外表面には、複数の突起部２０を有する微小領域１０が形成される。微小領域１０は、タイヤ周方向またはタイヤ径方向に沿って複数形成される。微小領域１０の面積は、０．３ｃｍ２より小さく、突起部２０の高さは、０．０１〜０．１ｍｍである。【選択図】図２
2020097387.tif 000002
【特許請求の範囲】
【請求項１】
路面に接するトレッド部と、
前記トレッド部に連なり、前記トレッド部のタイヤ径方向内側に位置するサイドウォール部と、
を含む空気入りタイヤであって、
前記サイドウォール部の外表面には、複数の突起部を有する微小領域が形成され、
前記微小領域は、タイヤ周方向または前記タイヤ径方向に沿って複数形成され、
前記微小領域の面積は、０．３ｃｍ２より小さく、
前記突起部の高さは、０．０１〜０．１ｍｍである
ことを特徴とする空気入りタイヤ。
【請求項２】
前記突起部の形状は、前記突起部の上面視において線状であり、
隣接する前記微小領域の中央における突起部を中央突起部と定義した場合、前記中央突起部の上面視における角度が異なる
ことを特徴とする請求項１に記載の空気入りタイヤ。
【請求項３】
前記中央突起部の上面視における角度は、前記タイヤ周方向または前記タイヤ径方向に沿って、周期的に変化する
ことを特徴とする請求項２に記載の空気入りタイヤ。
【請求項４】
前記微小領域内には、前記複数の突起部の密集度合いが変化する疎密分布が形成される
ことを特徴とする請求項１に記載の空気入りタイヤ。
【請求項５】
前記疎密分布は、前記タイヤ周方向または前記タイヤ径方向に沿って周期的に変化する
ことを特徴とする請求項４に記載の空気入りタイヤ。
【請求項６】
前記突起部は、前記突起部の上面視において放射状に形成される
ことを特徴とする請求項１〜５のいずれか１項に記載の空気入りタイヤ。
【請求項７】
複数の前記微小領域は、装飾領域を形成し、
前記装飾領域には、所定の深さを有する凹部が形成され、
前記凹部には、複数の第２突起部が形成され、
前記第２突起部の高さは、０．１〜１．０ｍｍである
ことを特徴とする請求項１〜６のいずれか１項に記載の空気入りタイヤ。
【請求項８】
前記微小領域の面積当たりにおける前記突起部の延在長さの合計は、２ｍｍ〜１５ｍｍである
ことを特徴とする請求項１〜７のいずれか１項に記載の空気入りタイヤ。
【請求項９】
前記突起部の高さをＸ、前記第２突起部の高さをＹとした場合、比Ｘ／Ｙは、０．３以下である
ことを特徴とする請求項７に記載の空気入りタイヤ。
【請求項１０】
前記突起部は、直線状の突起部と曲線状の突起部とを含み、
前記直線状の突起部と前記曲線状の突起部とが、前記タイヤ周方向または前記タイヤ径方向に沿って交互に形成される
ことを特徴とする請求項１〜９のいずれか１項に記載の空気入りタイヤ。
【発明の詳細な説明】
【技術分野】
【０００１】
本発明は、空気入りタイヤに関する。
【背景技術】
【０００２】
従来より、サイドウォール部の外表面に存在する凹凸を目立たなくさせる技術が知られている（特許文献１）。特許文献１に記載されたサイドウォール部には、同じ輪郭形状を成した複数の模様要素がタイヤ周方向に連なって設けられた複数の周方向模様要素列と、複数の模様要素がタイヤ径方向に連なって設けられた複数の径方向模様要素列とが形成される。
【先行技術文献】
【特許文献】
【０００３】
【特許文献１】特開２０１３−７１５７２号公報
【発明の概要】
【発明が解決しようとする課題】
【０００４】
近年、環境保護の要求が高まるに連れて、タイヤについても、さらなる軽量化が求められている。タイヤの軽量化手法の一つとして、サイドウォール部のゲージ厚を薄くすることが知られている。サイドウォール部のゲージ厚を薄くした場合、凹凸が深く形成されず、サイドウォール部の外観性を向上させることが困難である。
【０００５】
そこで、本発明は、このような状況に鑑みてなされたものであり、サイドウォール部のゲージ厚を薄くした場合でも、サイドウォール部の外観性が向上する空気入りタイヤの提供を目的とする。
【課題を解決するための手段】
【０００６】
本発明に係る空気入りタイヤ（空気入りタイヤ１）は、路面に接するトレッド部（トレッド部２）と、トレッド部に連なり、トレッド部のタイヤ径方向内側に位置するサイドウォール部（サイドウォール部３）と、を含む。サイドウォール部の外表面には、複数の突起部（突起部２０）を有する微小領域（微小領域１０）が形成される。微小領域は、タイヤ周方向またはタイヤ径方向に沿って複数形成される。微小領域の面積は、０．３ｃｍ２より小さく、突起部の高さは、０．０１〜０．１ｍｍである。
【発明の効果】
【０００７】
本発明によれば、サイドウォール部のゲージ厚を薄くした場合でも、サイドウォール部の外観性が向上する。
【図面の簡単な説明】
【０００８】
【図１】図１は、空気入りタイヤのタイヤ幅方向及びタイヤ径方向に沿った断面図である。
【図２】図２は、空気入りタイヤの側面図である。
【図３】図３は、図２の一部拡大図である。
【図４】図４は、図３のＡ−Ａ方向から見た断面図である。
【図５】図５は、本発明の実施形態に係る突起部の角度について説明する図である。
【図６】図６は、本発明の効果を説明する図である。
【図７Ａ】図７Ａは、本発明の他の実施形態に係る微小領域の配列について説明する図である。
【図７Ｂ】図７Ｂは、本発明の効果を説明する図である。
【図８Ａ】図８Ａは、本発明の他の実施形態に係る微小領域の配列について説明する図である。
【図８Ｂ】図８Ｂは、本発明の効果を説明する図である。
【図９】図９は、本発明の他の実施形態に係るマークについて説明する図である。
【図１０】図１０は、図９のＢ−Ｂ方向から見た断面図である。
【図１１】図１１は、本発明の他の実施形態に係る突起部について説明する図である。
【図１２】図１２は、本発明のさらに他の実施形態に係る突起部について説明する図である。
【図１３】図１３は、図１２の一部拡大図である。
【図１４】図１４は、図１２に係る突起部の角度について説明する図である。
【図１５】図１５は、本発明のさらに他の実施形態に係る突起部について説明する図である。
【図１６】図１６は、図１５の一部拡大図である。
【図１７】図１７は、図１５に係る突起部の角度について説明する図である。
【図１８】図１８は、複数の突起部の密集度合いが変化する疎密分布を説明する図である。
【図１９】図１９は、本実施形態に係る装飾領域を角度を変えて見たときの外観変化を示す図である。
【発明を実施するための形態】
【０００９】
以下、本発明の実施形態について、図面を参照して説明する。図面の記載において同一部分には同一符号を付して説明を省略する。
【００１０】
（１）空気入りタイヤの全体概略構成
図１は、本実施形態に係る空気入りタイヤ１の一部断面図である。具体的には、図１は、空気入りタイヤ１のタイヤ幅方向及びタイヤ径方向に沿った断面図である。なお、図１は、タイヤ赤道線ＣＬを基準とした一方側のみを示す。図２は、本実施形態に係る空気入りタイヤ１の側面図である。
【００１１】
図１、２に示すように、空気入りタイヤ１は、トレッド部２、サイドウォール部３、カーカス６、及びビード部７を備える。
【００１２】
トレッド部２は、路面（不図示）に接する部分である。トレッド部２には、空気入りタイヤ１の使用環境や装着される車両の種別に応じたパターン（不図示）が形成される。
【００１３】
サイドウォール部３は、トレッド部２に連なり、トレッド部２のタイヤ径方向内側に位置する。サイドウォール部３は、トレッド部２のタイヤ幅方向外側端からビード部７の上端までの領域である。
【００１４】
カーカス６は、空気入りタイヤ１の骨格を形成する。カーカス６は、タイヤ径方向に沿って放射状に配置されたカーカスコード（不図示）を有するラジアル構造である。但し、カーカス６は、ラジアル構造に限定されず、カーカスコードがタイヤ径方向に交錯するように配置されたバイアス構造でも構わない。
【００１５】
ビード部７は、サイドウォール部３に連なり、サイドウォール部３のタイヤ径方向内側に位置する。ビード部７は、円環状であり、ビード部７を介してカーカス６がタイヤ幅方向内側からタイヤ幅方向外側に折り返されている。
【００１６】
図２に示すように、サイドウォール部３の外表面には、装飾領域４が形成される。装飾領域４は、タイヤ周方向に沿って、円環状に形成される。装飾領域４の詳細は後述するが、装飾領域４には、多数の突起部２０が形成されたり、標章が形成されたりする。
【００１７】
次に、図３を参照して、図２に示す装飾領域４の一部の領域（図２に示す破線で囲まれた領域５）について説明する。図３は、図２に示す領域５の拡大図である。
【００１８】
図３に示すように、装飾領域４は、複数の微小領域１０からなる。微小領域１０は、タイヤ周方向及びタイヤ径方向に沿って配列される。また、それぞれの微小領域１０は、隣接して配置される。図３に示すように、タイヤ周方向における微小領域１０の長さは、１ｍｍである。同様に、タイヤ周方向における微小領域１０の長さも、１ｍｍである。したがって、微小領域１０の面積は、１ｍｍ２である。ただし、微小領域１０の面積は、これに限定されない。微小領域１０の面積は、０．３ｃｍ２より小さければよい。
【００１９】
また、図３に示すように、それぞれの微小領域１０には、複数の突起部２０が形成される。換言すれば、本実施形態における微小領域１０とは、複数の突起部２０によって形成される領域である。突起部２０の形状は、突起部２０の上面視において線状（ブレード状）である。本実施形態では、突起部２０の上面視における形状を直線として説明するが、これに限定されない。突起部２０の上面視における形状は、曲線であってもよい。また、全ての突起部２０は、上面視において放射状に形成される。図３に示すように、突起部２０の上面視における角度は、タイヤ周方向に沿って、周期的に変化する。
【００２０】
本実施形態における微小領域１０は、所定の単位を構成する。図３に示すように、所定の単位は、一例として、１２ｍｍ平方である。つまり、本実施形態では、１４４個の微小領域１０が集合して、所定の単位が構成される。そして、この所定の単位が、タイヤ周方向及びタイヤ経方向に沿って繰り返し配列され、装飾領域４が形成される。
【００２１】
次に、図４を参照して、図３に示すＡ―Ａ断面について説明する。図４に示すように、突起部２０の高さは、０．０３ｍｍである。ただし、突起部２０の高さは、これに限定されない。突起部２０の高さは、０．０１ｍｍ〜０．１ｍｍの範囲内であればよい。
【００２２】
図４に示すように、突起部２０の側面視における形状は、一例として０．０２ｍｍの上面を有する台形状である。上面から下面への傾斜角度は、一例として４５度である。なお、突起部２０の側面視における形状は、矩形状でもよく、ドーム状でもよい。
【００２３】
次に、図５を参照して、突起部２０の上面視における角度について説明する。図５には、微小領域１０の中央における突起部２０が示される。以下、図５の説明において、突起部２０とは、微小領域１０の中央における中央突起部と定義される。
【００２４】
図５に示すように、突起部２０の上面視における角度は、タイヤ周方向に沿って、周期的に回転するように変化する。隣接する突起部２０の上面視における角度はそれぞれ異なる。図５に示す例では、突起部２０の上面視における角度は、タイヤ周方向に沿って、３０度ずつ、周期的に変化する。なお、タイヤ周方向における１２個の微小領域１０が１つの模様列を形成する。また、突起部２０の上面視における角度は、タイヤ径方向に沿って、３０度ずつ、周期的に変化してもよい。つまり、タイヤ径方向における１２個の微小領域１０が１つの模様列を形成してもよい。
【００２５】
（２）作用・効果
以上説明したように、サイドウォール部３の外表面には、複数の突起部２０を有する微小領域１０が形成される。微小領域１０は、タイヤ周方向またはタイヤ径方向に沿って複数形成される。微小領域１０の面積は、０．３ｃｍ２より小さく、突起部２０の高さは、０．０１〜０．１ｍｍである。この突起部２０が光を反射することにより、光沢感のある外観が得られる。
【００２６】
また、突起部２０の形状は、突起部２０の上面視において線状である。隣接する微小領域１０の中央における突起部２０を中央突起部と定義した場合、中央突起部の上面視における角度が異なる（図５参照）。このため、中央突起部の上面視における角度が、タイヤ周方向に沿って周期的に回転するように変化する。これにより、サイドウォール部３に入射した光を反射する角度が、ユーザがサイドウォール部３を見た際の目線の角度ごとに変化する。このため、図６に示すように、ユーザは、微小領域１０ごとに異なる明度を感じる。これにより、ユーザにとって、サイドウォール部３（装飾領域４）があたかも動いているように見える。つまり、空気入りタイヤ１の回転、またはユーザの観測方向の変化に応じて、光が移動していくように感じられる。このように本実施形態によれば、サイドウォール部３のゲージ厚を薄くした場合でも、サイドウォール部３の外観性が向上する。なお、サイドウォール部３の外観性とは、サイドウォール部３の目立ちやすさ、見やすさなどである。
【００２７】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【００２８】
例えば、微小領域１０の配列方法は、図３の例に限定されない。図７Ａ及び図８Ａに示すように、タイヤ径方向に配列される微小領域１０の位置は、適宜変更されてもよい。これにより、図７Ｂ及び図８Ｂに示すように、様々な光の反射角度を有するサイドウォール部３（装飾領域４）が実現する。
【００２９】
なお、サイドウォール部３（装飾領域４）には、マーク３０が形成されてもよい。図９及び図１０を参照して、マーク３０について説明する。マーク３０とは、例えば標章である。
【００３０】
図９及び図１０に示すように、装飾領域４には、所定の深さを有する凹部５０がタイヤ幅方向に沿って形成される。この凹部５０に複数の第２突起部４０が形成される。マーク３０は、複数の第２突起部４０によって形成される。
【００３１】
凹部５０の深さは、一例として０．４ｍｍであるが、これに限定されない。また、図１０に示すように、第２突起部４０の高さは、一例として０．３５ｍｍであるが、これに限定されない。第２突起部４０の高さは、０．１〜１．０ｍｍの範囲内であればよい。
【００３２】
次に、マーク３０の効果について説明する。複数の第２突起部４０によって形成されるマーク３０は、通常のタイヤ外表面よりも黒さが際立つ。さらに、あたかも動いているように見える微小領域１０と、動かないマーク３０との対比により、マーク３０はより一層目立つことになる。
【００３３】
また、上述した例では、微小領域１０は放射状に形成されるとして説明したが、これに限定されない。例えば、図１１に示すように、微小領域１０は平行に形成されてもよい。また、タイヤ周方向に沿って周期的に変化する上面視における角度は、図１１に示すように、９０度であってもよい。この場合でも、上述した効果と同様の効果が得られる。
【００３４】
また、微小領域１０の面積当たりにおける突起部２０の延在長さの合計は、２ｍｍ〜１５ｍｍであってもよい。微小領域１０の面積は、一例として１ｍｍ２であるため、この１ｍｍ２における突起部２０の延在長さの合計は、２ｍｍ〜１５ｍｍであってもよい。突起部２０の延在長さの合計が上記の値より少ない場合、ユーザは光沢感を感じ取りにくいおそれがある。一方、突起部２０の延在長さの合計が上記の値より多い場合、突起部２０の影により微小領域１０が暗く見え、光沢感が減少するおそれがある。換言すれば、突起部２０の延在長さの合計が上記の値であれば、光沢感のある外観が得られる。また、突起部２０の延在長さの合計は、７ｍｍ〜１０ｍｍであってもよい。これにより、より一層光沢感のある外観が得られる。なお、突起部２０の延在長さとは、突起部２０のタイヤ周方向に沿った長さ、突起部２０のタイヤ径方向に沿った長さ、及び突起部２０のタイヤ周方向またはタイヤ径方向に対する斜め方向に沿った長さを含む。
【００３５】
また、突起部２０の高さをＸ、第２突起部４０の高さをＹとした場合、比Ｘ／Ｙは、０．３以下であってもよい。比Ｘ／Ｙが０．３より大きい場合、マーク３０の黒さのコントラストが減少し、マーク３０の視認性が減少するおそれがある。換言すれば、比Ｘ／Ｙが、０．３以下であれば、マーク３０の視認性は向上する。
【００３６】
また、微小領域１０には形状の異なる突起部が形成されてもよい。例えば、図１２及び図１３に示すように、微小領域１０には形状の異なる突起部２０及び突起部２１が形成されてもよい。突起部２０は、図３と同様に直線状である。突起部２１は、曲線状（波形状）である。直線状の突起部２０と曲線状の突起部２１は、タイヤ周方向またはタイヤ径方向に沿って交互に形成される。これにより、反射する光の拡散が効果的に得られ、視認性が向上する。また、図１４に示すように、突起部２０及び突起部２１の上面視における角度は、タイヤ周方向に沿って、周期的に回転するように変化する。これにより、図５に示す例と同様の効果が得られる。なお、図１２に示す突起部２０及び突起部２１の高さは、図４と同様である。なお、曲線状の突起部２１の上面視における角度とは、突起部２１の端点同士を結んだ直線の角度と定義されてもよい。また、曲線状の突起部２１の上面視における角度とは、曲線にかかる振動の中心点を結んだ直線の角度と定義されてもよい。また、曲線状の突起部２１の上面視における角度とは、曲線を近似手法（例えば最小二乗法）によって近似した直線の角度と定義されてもよい。
【００３７】
また、図３に示す例では、放射状に形成される突起部２０の中心について特に限定しないが、放射状に形成される突起部２０の中心は、図１５及び図１６に示すように、微小領域１０内に存在してもよい。換言すれば、図１５及び図１６に示すように微小領域１０内に存在する中心から放射するように突起部２０が形成されてもよい。これにより、反射する光の拡散が効果的に得られ、視認性が向上する。なお、図１５において、上述した所定の単位は、２４ｍｍ平方である。つまり、図１５では、５７６個の微小領域１０が集合して、所定の単位が構成される。また、図１７に示すように、突起部２０の上面視における角度は、タイヤ周方向に沿って、周期的に回転するように変化する。これにより、図５に示す例と同様の効果が得られる。なお、図１７は１２ｍｍ分の微小領域１０の角度の回転を示すが、残りの１２ｍｍ分の微小領域１０も同様に周期的に回転する。また、図１５に示す突起部２０の高さは、図４と同様である。
【００３８】
また、図１８に示すように、複数の突起部２０が放射状に形成された微小領域１０内には、複数の突起部２０の密集度合いが変化する疎密分布が形成されてもよい。複数の突起部２０が放射状に形成されることにより、放射の中心付近には突起部２０が密集する。これにより、放射の中心付近には突起部２０が密集した密領域６０が形成される。一方、微小領域１０内において、密領域６０から遠くなるにしたがい、突起部２０同士の間隔は広くなる。これにより、突起部２０同士の間隔が広い疎領域７０が形成される。密領域６０と疎領域７０とでは、突起部２０による光の反射量（明度）が異なる。したがって、突起部２０の密集度合いが変化する疎密分布が形成されることにより、ユーザは明度の変化を感じることができ、外観性が向上する。
【００３９】
図１８に示すように疎密分布、すなわち、密領域６０及び疎領域７０は、タイヤ周方向またはタイヤ径方向に沿って周期的に変化する。このような密領域６０及び疎領域７０の変化と、タイヤの回転とが組み合わされて、装飾領域４があたかも動いているように見えるため、外観性が向上する。また、密領域６０の中心付近は、隣接する突起部２０同士がくっつき、平滑面となっている。光を強く反射する平滑面が動くことによっても、外観の変化が得られる。
【００４０】
なお、密領域６０は、隣接する突起部２０同士の間隔が疎領域７０と比較して狭い領域と表現されてもよく、隣接する突起部２０同士の間隔がほぼゼロとみなせる領域と表現されてもよい。また、複数の突起部２０の密集度合いは、複数の突起部２０の密度と表現されてもよい。
【００４１】
図１９は、本実施形態における装飾領域４の一例であり、角度を変えて装飾領域４を見たときの外観変化を示す。図１９からわかるように、本実施形態によれば、サイドウォール部３（装飾領域４）の外観性が向上する。
【００４２】
特願２０１８−２３４２６９号（出願日：２０１８年１２月１４日）の全内容は、ここに援用される。
【符号の説明】
【００４３】
１  空気入りタイヤ
２  トレッド部
３  サイドウォール部
４  装飾領域
６  カーカス
７  ビード部
１０  微小領域
２０、２１  突起部
３０  マーク
４０  第２突起部
５０  凹部
６０  密領域
７０  疎領域
【図１】
2020097387.tif 000003
【図２】
2020097387.tif 000004
【図３】
2020097387.tif 000005
【図４】
2020097387.tif 000006
【図５】
2020097387.tif 000007
【図６】
2020097387.tif 000008
【図７Ａ】
2020097387.tif 000009
【図７Ｂ】
2020097387.tif 000010
【図８Ａ】
2020097387.tif 000011
【図８Ｂ】
2020097387.tif 000012
【図９】
2020097387.tif 000013
【図１０】
2020097387.tif 000014
【図１１】
2020097387.tif 000015
【図１２】
2020097387.tif 000016
【図１３】
2020097387.tif 000017
【図１４】
2020097387.tif 000018
【図１５】
2020097387.tif 000019
【図１６】
2020097387.tif 000020
【図１７】
2020097387.tif 000021
【図１８】
2020097387.tif 000022
【図１９】
2020097387.tif 000023